(57)【要約】【課題】換気ホースの接続作業を効率よく行える換気ユニットを提供する。【解決手段】本換気ユニットは、室内空気を換気ホースを介して屋外へ排出する換気ユニットに設けられ換気ホースを接続する換気用接続口体を有し、２種以上の口径の異なる換気ホースは、ホース固定具とホース固定具に一体に形成されるアダプタを介して選択的に換気ユニットの換気用接続口体に接続される。【選択図】  図８
2005188826.tif 000002
【特許請求の範囲】
【請求項１】
吸込口と、換気用送風機と、換気ホースを接続する換気用接続口体を有し、吸込口から吸込まれた室内空気を、換気ホースを介して屋外へ排出する換気ユニットにおいて、この換気用接続口体部分と換気ホースの先端部分の外周に跨って取り付けられ、換気ホース先端部と接続口体部分の連結固定を行なうホース固定具と、ホース固定具と一体に形成され２種以上の口径の異なる換気ホースを、選択的に前記換気用接続口体に接続させるため必要に応じホース固定具内に介在させて使用されるアダプタとを備えたことを特徴とする換気ユニット。
【請求項２】
前記ホース固定具は、口径の異なる２種以上の換気ホースの内大口径換気ホースの外側を保持し、前記アダプタは、口径の異なる２種以上の換気ホースの内小口径換気ホースの内側と嵌合することを特徴とする請求項１に記載の換気ユニット。
【発明の詳細な説明】
【技術分野】
【０００１】
本発明は、室内空気を屋外に排気する換気ユニットに係り、特に、２種以上の口径の異なる換気用ホースが取付け可能な固定具を備えた換気ユニットに関する。
【背景技術】
【０００２】
室内空気を屋外に排気する換気ユニット、例えば換気機能を備えた分離型空気調和機の室内機においては、本体に吸込口及び吹出口を備え、本体内部には熱交換器及び送風機などが収容されている。上記熱交換器の前面にはエアーフィルタが取付けられ、本体内に吸込まれた室内空気から塵挨を捕捉するようになっている。ところで、使用者にとって常時室内の空気調和を行うことばかりでなく、状況によっては窓を開放することなく室内の換気を有効、かつ迅速に行いたい場合がある。この状況に対応するため、室内空気を屋外へ排気するための送風機と、この送風機に連通する換気用ホースが接続される換気ユニットが組み込まれている。
【０００３】
上記のような換気ユニットを備えた空気調和機においては、換気ファンと対向する室内機本体の前面部位には室内空気の取込口が開口され、背面部位には室内空気の換気口が設けられ、さらに、この換気口と室外とを、壁面に設けられるホース貫通口に挿入された換気ホースによって連通し、換気ファンの作動により外部へ排出を行っている（特許文献１、特許文献２）。
【０００４】
しかしながら、特許文献１、特許文献２の空気調和機の換気ユニットは、同一口径の換気ホースが用いられるので、図１２に示すように、家屋建築時に設けられたホース貫通口の内径に応じて、あるいは換気量に応じて、口径の異なる換気ホースを選択することができない。また、これらの不都合を解消するために、従来、図１３に示すように、口径の異なる２種類以上のホース４１Ｌ、４１Ｓを接続して使用するか（図１３（ａ））、あるいは、小口径換気ホース４１Ｓの接続には、大口径換気ホース４１Ｌの接合部４１Ｌ１をＸ−Ｘ線に沿って切断し、これを用いて接続していた（図１３（ｂ））。このような換気ホース接続方法は、切断などの作業が伴うため、作業が煩雑であった。
【特許文献１】特開２００２−３４９８９１号公報（段落［００１８］、図１）
【特許文献２】特開２００３−１８５１７４号公報（段落［００１８］、図１）
【発明の開示】
【発明が解決しようとする課題】
【０００５】
本発明は上述した事情を考慮してなされたもので、換気ホースの接続作業を効率よく行える換気ユニットを提供することを目的とする。
【課題を解決するための手段】
【０００６】
上記目的を達成するため、本発明の１つの態様によれば、吸込口と、換気用送風機と、換気ホースを接続する換気用接続口体を有し、吸込口から吸込まれた室内空気を、換気ホースを介して屋外へ排出する換気ユニットにおいて、この換気用接続口体部分と換気ホースの先端部分の外周に跨って取り付けられ、換気ホース先端部と接続口体部分の連結固定を行なうホース固定具と、ホース固定具と一体に形成され２種以上の口径の異なる換気ホースを、選択的に前記換気用接続口体に接続させるため必要に応じホース固定具内に介在させて使用されるアダプタとを備えたことを特徴とする換気ユニットが提供される。
【発明の効果】
【０００７】
本発明に係わる換気ユニットによれば、換気ホースの接続作業を確実に効率よく行える換気ユニットを提供することができる。
【発明を実施するための最良の形態】
【０００８】
以下、本発明に係る換気ユニットの一実施形態を、換気ユニットを備えた空気調和機の室内機により添付図面を参照して説明する。
【０００９】
図１は本発明に係る空気調和機の室内機の斜視図、図２は室内機の縦断面図、図３は前面パネルを取外した状態の室内機内部の斜視図、図４は図３の換気ユニット近傍の拡大図である。
【００１０】
図１及び図２に示すように、本発明に係る空気調和機の室内機本体１は、前面パネル２と後板３とから構成されており、上下方向に対して幅方向が長い横長状をなす。前面パネル２は、湾曲して手前側に突出し、左右両側に側面板を備え、後板３は、横長の矩形状をなし被空調室の壁面に取付けられる。
【００１１】
前面パネル２の前面側一部に前部吸込口４が開口され、開閉駆動機構５に支持された可動パネル２ａが嵌め込まれている。運転停止時において、可動パネル２ａは前面パネル２と同一面となり前部吸込口４を閉成するが、運転時には手前側に突出変位して前部吸込口４を開放するよう制御される。
【００１２】
前面パネル２及び後板３の上部に亘って上部吸込口６が設けられる。上部吸込口６には枠状の桟７が嵌込まれており、この桟７によって複数の空間部に仕切られている。
【００１３】
可動パネル２ａの下方には、２枚の吹出ルーバー８ａ、８ｂが並行して設けられ、この吹出ルーバー８ａ、８ｂは、室内機本体１の前面下部に沿って設けられ、吹出口９を開閉するとともに、運転条件に応じて姿勢角度を可変し熱交換空気の吹出し方向を設定できるようになっている。
【００１４】
図２及び図３に示すように、室内機本体１内には、前側熱交換器部１０Ａと後側熱交換器部１０Ｂとで略逆Ｖ字状に形成される熱交換器１０が配置されている。前側熱交換器部１０Ａは、前面パネル２と間隙を存してほぼ平行な湾曲状に形成され、かつ後側熱交換器部１０Ｂは直状に形成されて上部吸込口６と斜めに傾斜して対向する。
【００１５】
一方、前部吸込口４と上部吸込口６とに対向する室内機本体１内にエアーフィルタ１１が取付けられており、このエアーフィルタ１１は各吸込口４、６と前部熱交換器部１０Ａと後部熱交換器部１０Ｂとの間に介在され、開放した吹出口９上端と前面パネル２下端の間から着脱自在に挿着されるようになっている。
【００１６】
熱交換器１０の前側熱交換器部１０Ａの前面側で、かつ室内機本体１に対する正面視で右端部側にずれた位置に電気集塵機１２が取付けられている。この電気集塵機１２は、流通する空気中の塵挨に電荷を与える荷電側電極と、電荷を与えられた塵挨を引きつけて捕捉する集塵側電極とから構成されている。
【００１７】
熱交換器１０の前後側熱交換器部１０Ａ、１０Ｂの相互間で、かつ吹出口９との間に室内送風機１３が配置されている。すなわち、傘状に形成される熱交換器１０の内側に室内送風機１３が位置している。
【００１８】
図２〜図４に示すように、室内送風機１３と並んで、換気ユニット２０が配置されている。この換気ユニット２０は、熱交換器１０に対して室内送風機１３の位置をずらせることによって形成される室内送風機１３横の空間スペースに隣接して配置されている。さらに、換気ユニット２０は、換気用送風機２１と、いずれも図示しないダンパ駆動機構により適宜開閉制御されるダンパを有し、さらに、換気用送風機２１には吹出口体２１ａが設けられている。なお、吹出口体は送風機構に一体であっても、別個に形成されたものを一体的に取付けたものであってもよい。
【００１９】
図２に示すように、換気用送風機２１の吹出口体２１ａには、室内Ｒと室外Ｏを仕切る壁面Ｗに設けられたホース貫通孔ｐを貫通して、換気用送風機２１と室外を連通する換気ホース２２が接続されている。
【００２０】
図５及び図６に示すように、換気ホース２２には、口径（太さ）の異なる２種類以上、例えば、小口径換気ホース２２Ｓと大口径換気ホース２２Ｌが用いられる。
【００２１】
図５に示すように、小口径換気ホース２２Ｓの吹出口体２１ａへの接続は、アダプタ２３及びホース固定具２４を用いて行われ、図６に示すように、大口径換気ホース２２Ｌの接続は、アダプタを用いることなくホース固定具２４のみを用いて行われている。
【００２２】
図７及び図８に示すように、アダプタ２３は合成樹脂製で中空円筒形状をなし、一端部はテーパを有してわずかに縮径され、この一端開口２３ａは吹出口体２１ａが嵌合する他端開口２３ｂよりも多少口径が小さくなっておりさらに、その外周にはテーパを有し、小口径換気ホース２２Ｓが嵌合する小口径換気ホース用テーパ嵌合部２３ｔ及びリング状の突条２３ｐが設けられている。
【００２３】
また、ホース固定具２４は、アダプタ２３を小口径換気ホース２２Ｓの接続部２２Ｓ１に固定しかつ、アダプタ２３を介して小口径換気ホース２２Ｓを送風機２１の吹出口体２１ａに取付け固定し、直接大口径換気ホース２２Ｌを直接吹出口体２１ａに固定するためのものである。ホース固定具２４は、中空円筒形状をなし合成樹脂製で、アダプタ２３と一体に射出成形によって製造され、ヒンジ部２４ａで半円体状に２分割可能に、また、ファスナ部２４ｂによって円筒状を保持するようになっており、その内周には小口径換気ホース２２Ｓに設けられたリング状の係合突条２２Ｓ２及び大口径換気ホース２２Ｌに設けられたリング状の係合突条２２Ｌ２と係合する係合突条２４ｃが設けられており、また、外周には螺子Ｂを用いてホース固定具２４を室内機本体１に螺着するための螺子用取付部２４ｄが設けられ、さらに、円筒状に保持時、一方の半円体の内周に設けられた収納溝２４ｅに収納される連結部２４ｆによってアダプタ２３と一体に連結されている。
【００２４】
従って、小口径換気ホース２２Ｓを室内機本体１に取付ける場合には、図８及び図９に示すように、下側の半円体にアダプタ２３を載置し、しかる後小口径換気ホース２２Ｓの開口２２Ｓａをアダプタ２３のテーパ嵌合部２３ｔに嵌合させ、図５及び図９に示すように、上側の半円体を反転させファスナ部２４ｂによって円筒状を保持する。このとき、小口径換気ホース２２Ｓのリング状の係合突条２２Ｓ２とホース固定具２４のリング状の係合突条２４ｃが係合するので、ホース固定具２４は小口径換気ホース２２Ｓに確実に取付けられる。さらに、小口径換気ホース２２Ｓと嵌合したアダプタ２３の他端開口２３ｂを吹出口体２１ａに嵌合し、螺子Ｂを用いてホース固定具２４を室内機本体１に螺着することで、小口径換気ホース２２Ｓは室内機本体１に取付けられる。
【００２５】
一方、大口径換気ホース２２Ｌを室内機本体１に取付ける場合には、図１０及び図１１に示すように、アダプタ２３をホース固定具２４の外に出し、ホース固定具２４に大口径換気ホース２２Ｌの接合部２２Ｌ１を置き、しかる後、上側の半円体を反転させてファスナ部２４ｂによって円筒状を保持する。このとき、大口径換気ホース２２Ｌのリング状に係合突条２２Ｌ２とホース固定具２４のリング状の係合突条２４ｃが係合するので、ホース固定具２４は確実に大口径換気ホース２２Ｌに取付けられる。さらに、大口径換気ホース２２Ｌの開口２２Ｌａと吹出口体２１ａに嵌合し、螺子Ｂを用いてホース固定具２４を室内機本体１に螺着することで、大口径換気ホース２２Ｌは室内機本体１に取付けられる。
【００２６】
上記のように本実施形態の換気ユニットを備えた空気調和機の室内機によれば、小口径換気ホースを室内機本体の吹出口体への取付ける場合には、アダプタを用い、大口径換気ホースを吹出口体へ取付ける場合には、アダプタを用いることなく直接取付けを行うので、小口径換気ホースの取付けの場合、従来行われた大口径換気ホースの一部を切断して接続するようなことは必要なく、換気ホースの接続作業を効率よく行える。
【図面の簡単な説明】
【００２７】
【図１】本発明に係る換気ユニットを搭載した空気調和機の室内機の斜視図。
【図２】本発明に係る換気ユニットを搭載した空気調和機の室内機の縦断面図。
【図３】本発明に係る換気ユニットを搭載した空気調和機の室内機の前面パネルを取外した状態の斜視図。
【図４】本発明に係る空気調和機の室内機に搭載した換気ユニット近傍の拡大図。
【図５】（ａ）は本発明に係る空気調和機の室内機に搭載された換気ユニットに用いられる小口径換気にホース固定具を取付けた状態を示す（ｂ）のＢ−Ｂ線に沿う縦断面図、（ｂ）は正面図、（ｃ）は側面図。
【図６】（ａ）は本発明に係る換気ユニットに用いられる大口径換気ホースにホース固定具を取付けた状態を示す（ｂ）のＡ−Ａ線に沿う縦断面図、（ｂ）は正面図、（ｃ）は側面図。
【図７】本発明に係る換気ユニットに用いられるホース固定具の開放状態を示す斜視図。
【図８】本発明に係る換気ユニットに用いられるホース固定具と小口径換気ホースの取付け状態を示す斜視図。
【図９】本発明に係る換気ユニットに用いられる小口径換気ホースの取付け状態を示す縦断面図。
【図１０】本発明に係る換気ユニットに用いられるホース固定具と大口径換気ホースの取付け状態を示す斜視図。
【図１１】本発明に係る換気ユニットに用いられる小口径換気ホースの取付け状態を示す縦断面図。
【図１２】一般的な換気ユニットに用いられる小口径換気ホースの取付け状態を示す縦断面図。
【図１３】（ａ）は従来の換気ユニットにおける大口径及び小口径換気ホースの取付け状態を示し、（ｂ）は小口径換気ホースの取付け状態を示す平面図。
【符号の説明】
【００２８】
１…室内機本体、２…前面パネル、４…前部吸込口、６…上部吸込口、９…吹出口、１０…熱交換器、１３…室内送風機、２０…換気ユニット、２１…送風機、２１ａ…吹出口体、２２…換気ホース、２２Ｓ…小口径換気ホース、２２Ｌ…大口径換気ホース、２３…アダプタ、２４…ホース固定具。
【図１】
2005188826.tif 000003
【図２】
2005188826.tif 000004
【図３】
2005188826.tif 000005
【図４】
2005188826.tif 000006
【図５】
2005188826.tif 000007
【図６】
2005188826.tif 000008
【図７】
2005188826.tif 000009
【図８】
2005188826.tif 000010
【図９】
2005188826.tif 000011
【図１０】
2005188826.tif 000012
【図１１】
2005188826.tif 000013
【図１２】
2005188826.tif 000014
【図１３】
2005188826.tif 000015